(57)【要約】【課題】遠隔より電子機器に対する電源供給のオン／オフ操作を行え、かつ、待機用電力を完全にゼロにすることができる電力供給休止システムを提供すること。【解決手段】電子機器Ｄのオンまたはオフを遠隔より操作する遠隔操作手段１２０と、この遠隔操作手段１２０の操作に対応して電子機器Ｄに対する駆動用電源ＰＳからの電力を供給或いは休止する電力供給休止装置１１０とを有する電力供給休止システム１００において、電力供給休止装置１１０が、無通電状態で遠隔操作手段１２０から発せられた電源オン用光信号を受信すると通電状態となって電子機器Ｄに対して駆動用電源ＰＳからの電力を供給するとともに、通電状態で遠隔操作手段１２０から発せられた電源オフ用光信号を受信すると電子機器Ｄに対して駆動用電源ＰＳからの電力を休止し且つ無通電状態に戻る。【選択図】図１
2006149161.tif 000002
【特許請求の範囲】
【請求項１】
電子機器のオンまたはオフを遠隔より操作する遠隔操作手段と、該遠隔操作手段の操作に対応して前記電子機器に対する駆動用電源からの電力を供給或いは休止する電力供給休止装置とを備えた電力供給休止システムにおいて、
前記電力供給休止装置が、
無通電状態で前記遠隔操作手段から発せられた電源オン用光信号を受信すると通電状態となって電子機器に対して駆動用電源からの電力を供給するとともに、通電状態で前記遠隔操作手段から発せられた電源オフ用光信号を受信すると前記電子機器に対して駆動用電源からの電力を休止し且つ無通電状態に戻る電力供給休止手段
を具備することを特徴とする電力供給休止システム。
【請求項２】
電子機器のオンまたはオフを遠隔より操作する遠隔操作手段と、該遠隔操作手段の操作に対応して前記電子機器に対する駆動用電源からの電力を供給或いは休止する電力供給休止装置とを備えた電力供給休止システムにおいて、
前記電力供給休止装置が、
前記遠隔操作手段から発せられた光により電圧を発生する光電変換素子と、
前記光電変換素子で発生した電圧によって無通電状態から通電状態となり、前記電子機器に対して駆動用電源からの電力を供給するスイッチをオンする自己保持型半導体スイッチング素子と、
前記遠隔操作手段から発せられた光に応じて前記電子機器に対する駆動用電源からの電力を休止するとともに、前記自己保持型半導体スイッチング素子を通電状態から無通電状態にし、該自己保持型半導体スイッチング素子のスイッチをオフにするスイッチオフ手段と
を具備していることを特徴とする電力供給休止システム。
【請求項３】
前記光電変換素子が、前記遠隔操作手段から発せられた電源オン用光信号により電圧を発生する電源オン用光電変換素子であり、
前記遠隔操作手段から発せられた電源オフ用光信号により電圧を発生する電源オフ用光電変換素子を更に備え、
前記スイッチオフ手段が、
前記電源オフ用光電変換素子で発生した電圧によって発光ダイオードを通電させ光を発光し、該発光に応じて通電状態から無通電状態となって前記電子機器に対する駆動用電源からの電力を休止し且つ前記自己保持型半導体スイッチング素子を通電状態から無通電状態にして該自己保持型半導体スイッチング素子のスイッチをオフにするとともに、前記発光が止むと無通電状態から通電状態に戻る非自己保持型半導体スイッチング素子であることを特徴とする請求項２記載の電力供給休止システム。
【請求項４】
前記光電変換素子が、前記遠隔操作手段から発せられた電源オン／オフ共用光信号により電圧を発生する電源オン／オフ共用光電変換素子であり、
前記自己保持型半導体スイッチング素子のスイッチをオンする電圧値を監視し、監視電圧値が予め記憶している閾値以上になった場合に、電源オフ出力を出す電源オフ制御手段を更に備え、
前記スイッチオフ手段が、
前記電源オフ制御手段の出力によって発光ダイオードを通電させ光を発光し、該発光に応じて通電状態から無通電状態となって前記電子機器に対する駆動用電源からの電力を休止し且つ前記自己保持型半導体スイッチング素子を通電状態から無通電状態にして該自己保持型半導体スイッチング素子のスイッチをオフにするとともに、前記発光が止むと無通電状態から通電状態に戻る非自己保持型半導体スイッチング素子であることを特徴とする請求項２記載の電力供給休止システム。
【発明の詳細な説明】
【技術分野】
【０００１】
本発明は、電子機器のオンまたはオフを遠隔より操作する遠隔操作手段と、該遠隔操作手段の操作に対応して電子機器に対する駆動用電源からの電力を供給或いは休止する電力供給休止手段とを備えた電力供給休止システムに係り、詳しくは、待機用電力を完全にゼロにすることができるようにした電力供給休止システムに関するものである。
【背景技術】
【０００２】
従来、商用電源により充電される蓄電池を用いて電子機器の待機状態での消費電力を低減しようとする電子機器の電源供給装置が知られている（例えば、特許文献１参照）（以下、単に「従来技術１」という）。
【０００３】
また、従来、主電源スイッチをリモコン操作によりオフすることができる電気機器における電源回路が知られている（例えば、特許文献２参照）（以下、単に「従来技術２」という）。
【０００４】
さらに、従来、太陽電池パネルなどの光電変換素子を用いて電子機器の待機時の消費電力を節減しようとする電子機器の待機電源回路が知られている（例えば、特許文献３参照）（以下、単に「従来技術３」という）。
【特許文献１】特開２００１−２１８２８０号公報
【特許文献２】特開２０００−９２７４２号公報
【特許文献３】特開２０００−３２４４２１号公報
【発明の開示】
【発明が解決しようとする課題】
【０００５】
ところが、前述の従来技術１では、待機時に蓄電池の電力を消費しており、また、前述の従来技術２では、待機時に商用電源より電力を得ているので、両者は、いずれも待機時に電力を消費する構成を採っている。すなわち、それら従来技術１及び従来技術２のいずれにおいても、商用電源に代えて電池を用いた場合、電池寿命が短くなるという問題点がある。
【０００６】
また、前述の従来技術３では、待機時に太陽電池パネル等の光電変換素子に貯えられている電力をリモコン処理ブロックに供給する構成を採っている。すなわち、この従来技術３では、電気を蓄電する蓄電部を有した太陽電池パネル等が必要な構成であり高価な回路構成になってしまうという問題点があるとともに、蓄電部を有した太陽電池パネル等の光電変換素子に電力が充電できない光の当たらない場所には設置して使用できず使い勝手が良くないという問題点がある。
【０００７】
すなわち、前述した従来技術にあっては、電源の種類や設置場所等を考慮しなけらばならずシステム適用の自由度が低いとともに、高価な回路構成となってしまい、また、いずれも待機用電力を消費する構成を採っているため、完全な省電力化を実現していない。
【０００８】
そこで、本発明は、上述したような課題を解決するものであって、すなわち、本発明の目的は、遠隔より電子機器に対する電源供給のオン／オフ操作を行え、かつ、待機用電力を完全にゼロにすることができるようにした電力供給休止システムを提供することにある。
【課題を解決するための手段】
【０００９】
本請求項１に係る発明は、電子機器のオンまたはオフを遠隔より操作する遠隔操作手段と、該遠隔操作手段の操作に対応して前記電子機器に対する駆動用電源からの電力を供給或いは休止する電力供給休止装置とを備えた電力供給休止システムにおいて、前記電力供給休止装置が、無通電状態で前記遠隔操作手段から発せられた電源オン用光信号を受信すると通電状態となって電子機器に対して駆動用電源からの電力を供給するとともに、通電状態で前記遠隔操作手段から発せられた電源オフ用光信号を受信すると前記電子機器に対して駆動用電源からの電力を休止し且つ無通電状態に戻る電力供給休止手段を具備することによって、上記目的を達成するものである。
【００１０】
また、本請求項２に係る発明は、電子機器のオンまたはオフを遠隔より操作する遠隔操作手段と、該遠隔操作手段の操作に対応して前記電子機器に対する駆動用電源からの電力を供給或いは休止する電力供給休止装置とを備えた電力供給休止システムにおいて、前記電力供給休止装置が、前記遠隔操作手段から発せられた光により電圧を発生する光電変換素子と、前記光電変換素子で発生した電圧によって無通電状態から通電状態となり、前記電子機器に対して駆動用電源からの電力を供給するスイッチをオンする自己保持型半導体スイッチング素子と、前記遠隔操作手段から発せられた光に応じて前記電子機器に対する駆動用電源からの電力を休止するとともに、前記自己保持型半導体スイッチング素子を通電状態から無通電状態にし、該自己保持型半導体スイッチング素子のスイッチをオフにするスイッチオフ手段とを具備していることによって、上記目的を達成するものである。
【００１１】
また、本請求項３に係る発明は、本請求項２に係る発明の構成に加えて、前記光電変換素子が前記遠隔操作手段から発せられた電源オン用光信号により電圧を発生する電源オン用光電変換素子であり、前記遠隔操作手段から発せられた電源オフ用光信号により電圧を発生する電源オフ用光電変換素子を更に備え、前記スイッチオフ手段が前記電源オフ用光電変換素子で発生した電圧によって発光ダイオードを通電させ光を発光し、該発光に応じて通電状態から無通電状態となって前記電子機器に対する駆動用電源からの電力を休止し且つ前記自己保持型半導体スイッチング素子を通電状態から無通電状態にして該自己保持型半導体スイッチング素子のスイッチをオフにするとともに、前記発光が止むと無通電状態から通電状態に戻る非自己保持型半導体スイッチング素子であることによって、上記目的を達成するものである。
【００１２】
また、本請求項４に係る発明は、本請求項２に係る発明の構成に加えて、前記光電変換素子が前記遠隔操作手段から発せられた電源オン／オフ共用光信号により電圧を発生する電源オン／オフ共用光電変換素子であり、前記自己保持型半導体スイッチング素子のスイッチをオンする電圧値を監視し、監視電圧値が予め記憶している閾値以上になった場合に、電源オフ出力を出す電源オフ制御手段を更に備え、前記スイッチオフ手段が前記電源オフ制御手段の出力によって発光ダイオードを通電させ光を発光し、該発光に応じて通電状態から無通電状態となって前記電子機器に対する駆動用電源からの電力を休止し且つ前記自己保持型半導体スイッチング素子を通電状態から無通電状態にして該自己保持型半導体スイッチング素子のスイッチをオフにするとともに、前記発光が止むと無通電状態から通電状態に戻る非自己保持型半導体スイッチング素子であることによって、上記目的を達成するものである。
【発明の効果】
【００１３】
本請求項１に係る発明によれば、電力供給休止システムの電力供給休止装置が、無通電状態で遠隔操作手段から発せられた電源オン用光信号を受信すると通電状態となって電子機器に対して駆動用電源からの電力を供給するとともに、通電状態で遠隔操作手段から発せられた電源オフ用光信号を受信すると電子機器に対して駆動用電源からの電力を休止し且つ無通電状態に戻る電力供給休止手段を具備しているため、手動で電源を入り切りするのが困難な場所に電子機器を配置した場合でも、遠隔より電子機器に対する電源供給のオン／オフ操作を容易に行え、かつ、待機時には無通電状態となるので待機用電力を完全にゼロにすることができ、電子機器の待機状態での省電力化を確実に図れる。また、待機用電力を完全にゼロにすることができるので、システム適用の自由度が高くなるとともに、商用電源とは異なり消耗品の電池やバッテリ等の電源を採用する電子機器においては、電池或いはバッテリの寿命を延ばすことができる。
【００１４】
また、本請求項２に係る発明によれば、電力供給休止システムの電力供給休止装置が、遠隔操作手段から発せられた光により電圧を発生する光電変換素子と、光電変換素子で発生した電圧によって無通電状態から通電状態となり、電子機器に対して駆動用電源からの電力を供給するスイッチをオンする自己保持型半導体スイッチング素子と、遠隔操作手段から発せられた光に応じて電子機器に対する駆動用電源からの電力を休止するとともに、自己保持型半導体スイッチング素子を通電状態から無通電状態にし、該自己保持型半導体スイッチング素子のスイッチをオフにするスイッチオフ手段とを具備しているため、手動で電源を入り切りするのが困難な場所に電子機器を配置した場合でも、遠隔より電子機器に対する電源供給のオン／オフ操作を容易に行え、かつ、待機時には無通電状態となるので待機用電力を完全にゼロにすることができ、電子機器の待機状態での省電力化を確実に図れる。また、待機用電力を完全にゼロにすることができるので、システム適用の自由度が高くなるとともに、商用電源とは異なり消耗品の電池やバッテリ等の電源を採用する電子機器においては、電池或いはバッテリの寿命を延ばすことができる。
【００１５】
また、本請求項３に係る発明によれば、本請求項２に係る発明の奏する効果に加えて、光電変換素子が遠隔操作手段から発せられた電源オン用光信号により電圧を発生する電源オン用光電変換素子であり、遠隔操作手段から発せられた電源オフ用光信号により電圧を発生する電源オフ用光電変換素子を更に備え、スイッチオフ手段が電源オフ用光電変換素子で発生した電圧によって発光ダイオードを通電させ光を発光し、該発光に応じて通電状態から無通電状態となって電子機器に対する駆動用電源からの電力を休止し且つ自己保持型半導体スイッチング素子を通電状態から無通電状態にして該自己保持型半導体スイッチング素子のスイッチをオフにするとともに、発光が止むと無通電状態から通電状態に戻る非自己保持型半導体スイッチング素子であることにより、本請求項２で説明した効果を奏する回路を安価に提供することができる。
【００１６】
また、本請求項４に係る発明によれば、本請求項２に係る発明の奏する効果に加えて、
光電変換素子が遠隔操作手段から発せられた電源オン／オフ共用光信号により電圧を発生する電源オン／オフ共用光電変換素子であり、自己保持型半導体スイッチング素子のスイッチをオンする電圧値を監視し、監視電圧値が予め記憶している閾値以上になった場合に、電源オフ出力を出す電源オフ制御手段を更に備え、スイッチオフ手段が電源オフ制御手段の出力によって発光ダイオードを通電させ光を発光し、該発光に応じて通電状態から無通電状態となって電子機器に対する駆動用電源からの電力を休止し且つ自己保持型半導体スイッチング素子を通電状態から無通電状態にして該自己保持型半導体スイッチング素子のスイッチをオフにするとともに、発光が止むと無通電状態から通電状態に戻る非自己保持型半導体スイッチング素子であることにより、本請求項２で説明した効果を奏する回路を安価に提供することができる。
【発明を実施するための最良の形態】
【００１７】
以下、本発明の実施の形態について図面を参照して説明する。
【００１８】
なお、本発明に係る電力供給休止システムは、例えば、リモコンなどにより遠隔から電源のオン／オフを行えるテレビや、ＶＴＲ等の電子機器や、あるいは、本出願人が既に出願済みの特願２００４−２５５１６８号の明細書に記載の「チェーン稼動状態測定装置」のような特殊な電子機器等に適用される。そして、取り付け形態としては、それら電子機器の外部で駆動電源との間に電気的に接続されたり、それら電子機器の内部（特に、待機電源回路など）で駆動電源との間に電気的に接続されて使用されるものである。
【実施例１】
【００１９】
まず、本発明に係る電力供給休止システムの実施例１について図１乃至図３を用いて説明する。
【００２０】
図１は、本実施例１の電力供給休止システム１００のシステム構成を示すブロック図である。なお、この実施例では、駆動用電源ＰＳの電力が供給されることにより動作する電子機器Ｄに適用した場合について示している。
【００２１】
図１に示すように、この電力供給休止システム１００は、電力供給休止装置１１０と、遠隔操作手段（外部リモコンともいう）１２０とを備えて構成される。
【００２２】
電力供給休止装置１１０は、遠隔操作手段１２０の操作に応じて、電子機器Ｄに対する駆動用電源ＰＳの電力の供給或いは休止を実行する電源ＯＮ／ＯＦＦ回路である。そして、この電力供給休止装置１１０は、電源ＯＮ用光電変換素子１１１と、サイリスタ１１２と、光ＭＯＳリレー１１３と、電源ＯＦＦ用光電変換素子１１４とを備え、それら各構成要素が電子機器Ｄおよび駆動用電源ＰＳと同図１に示すような接続形態で各々電気的に接続されて構成される。
【００２３】
ここで、電源ＯＮ用光電変換素子１１１及び電源ＯＦＦ用光電変換素子１１４は、光信号を入力して起電力を発生する光電変換素子である。例えば、その光電変換素子の構造としては、Ｐ側がプラス極、Ｎ側がマイナス極となっているようなＰＮ接合ダイオードを有し、そのＰＮ接合ダイオードに光が当たると空乏層に自由電子とホールが発生して、端子間に起電力を生じるような構造を有している。なお、具体的に、電源ＯＮ用光電変換素子１１１は、遠隔操作手段１２０から発せられた電源オン用光信号を入力すると、後段のサイリスタ１１２のゲート（Ｇ）−カソード（Ｋ）間に起電力を生じる。また、電源ＯＦＦ用光電変換素子１１４は、遠隔操作手段１２０から発せられた電源オフ用光信号を入力すると、後述の光ＭＯＳリレー１１３の発光ダイオード（ＬＥＤ）の端子間に起電力を生じる。
【００２４】
また、サイリスタ１１２（ｔｈｙｒｉｓｔｏｒ）は、ノーマリーオフタイプのサイリスタであって、電源ＯＮ用光電変換素子１１１の出力電圧でスイッチオン（すなわち、通電状態）となる自己保持型半導体スイッチング素子であり、アノード（Ａ）−カソード（Ｋ）間が通電状態にある限り、ゲート（Ｇ）−カソード（Ｋ）間の電圧の有無にかかわらず、通電状態が維持される。そして、このサイリスタ１１２は、通電状態になった後、アノード（Ａ）−カソード（Ｋ）間の電圧が供給されなくなると、スイッチオフ（すなわち、無通電状態）に戻る。
【００２５】
また、光ＭＯＳリレー１１３は、ノーマリーオンタイプの光ＭＯＳリレーであって、電源ＯＦＦ用光電変換素子１１４の出力電圧によって自装しているＬＥＤが通電され、そのＬＥＤが発光し、その光によって同じく自装している電界効果トランジスタ（ＦＥＴ）がＯＦＦ（すなわち、無通電状態）となるとともに、また、電源ＯＦＦ用光電変換素子１１４の出力電圧がなくなると、ＬＥＤが通電されず発光がなくなり、ＦＥＴがＯＮ（すなわち、通電状態）に戻るような非自己保持型半導体スイッチング素子である。
【００２６】
遠隔操作手段１２０は、前述の電力供給休止装置１１０に対して、電子機器Ｄに対する駆動用電源ＰＳの電力の供給或いは休止を指示する外部リモコンである。そして、この遠隔操作手段１２０は、電源ＯＮ用発光部１２１と、電源ＯＦＦ用発光部１２２と、切り換えスイッチ１２３とを備えて構成される。
【００２７】
ここで、電源ＯＮ用発光部１２１は、電力供給休止装置１１０に対して電子機器Ｄへの電力供給の開始（電源ＯＮ）を指示する電源ＯＮ用光信号を発するものであり、例えば、発光ダイオード（ＬＥＤ）で実現される。
【００２８】
また、電源ＯＦＦ用発光部１２２は、電力供給休止装置１１０に対して電子機器Ｄへの電力休止（電源ＯＦＦ用）を指示する電源ＯＦＦ用光信号を発するものであり、例えば、発光ダイオード（ＬＥＤ）で実現される。
【００２９】
また、切り換えスイッチ１２３は、操作者が、電源ＯＮおよび電源ＯＦＦを切り換え指示する為のスイッチであり、具体的には、前述の電源ＯＮ用発光部１２１および電源ＯＦＦ用発光部１２２のいずれかが、光信号を発するように切り換えるスイッチである。
【００３０】
なお、電源ＯＮ用発光部１２１と電源ＯＦＦ用発光部１２２は、例えば、互いに異なる波長の光（赤外線などの光）を発するように構成する。
【００３１】
また、電源ＯＮ用発光部１２１と電源ＯＦＦ用発光部１２２は、電力供給休止装置の電源ＯＮ用光電変換素子１１１と電源ＯＦＦ用光電変換素子１１４に起電力を発生させるものであれば発光ダイオード（ＬＥＤ）以外のものでも良い。
【００３２】
次に、前述した構成の電力供給休止システム１００の処理動作について図２及び図３を用いて説明する。
【００３３】
まず、電源ＯＮ時の動作について図２を参照して説明する。
【００３４】
電力供給休止システム１００において、電子機器Ｄへ電力が供給されていない場合（電源ＯＦＦ状態）には、ノーマリーオフタイプのサイリスタ１１２がＯＦＦ状態（すなわち、無通電状態）となっており、電力供給休止装置１１０にも電力が供給されず、この電力供給休止装置は無通電状態とされている。
【００３５】
このように、電力供給休止装置１１０が無通電状態において、電源ＯＮ用光電変換素子１１１に遠隔操作手段１２０の電源ＯＮ用発光部１２１から発せられた電源ＯＮ用光信号が入ると（ａ）、光電変換によって電源ＯＮ用光電変換素子１１１に電圧が発生する。そして、この発生した電圧がサイリスタ１１２のゲート（Ｇ）−カソード（Ｋ）間に印加される（ｂ）。
【００３６】
そして、前述のゲート（Ｇ）−カソード（Ｋ）間電圧がサイリスタ１１２のＯＮ電圧に達すると、サイリスタ１１２がスイッチＯＮ状態（すなわち、通電状態）となり（ｃ）、更に、ノーマリーオンタイプの光ＭＯＳリレー１１３を使用していることにより、電子機器Ｄへの電力供給が開始される（ｄ）。
【００３７】
次に、電源ＯＦＦ時の動作について図３を参照して説明する。
【００３８】
すなわち、前述した電源ＯＮ処理動作により電力供給休止装置１１０が通電状態であるときに、遠隔操作手段１２０の電源ＯＦＦ用発光部１２２から発せられた電源ＯＦＦ用光信号が電源ＯＦＦ用光電変換素子１１４に入ると（ｅ）、光電変換によって電源ＯＦＦ用光電変換素子１１４に電圧が発生する（ｆ）。そして、この電圧が光ＭＯＳリレー１１３のＬＥＤを通電させる電圧になると、ＬＥＤが発光し（ｇ）、同じく、光ＭＯＳリレー１１３のＦＥＴがＯＦＦ状態（すなわち、無通電状態）になる（ｈ）。これにより、電子機器Ｄへの電力供給が休止される（ｉ）。
【００３９】
さらに、光ＭＯＳリレー１１３のＦＥＴがスイッチＯＦＦになったことにより、サイリスタ１１２への通電も止められるので、サイリスタ１１２はスイッチＯＮ状態からスイッチＯＦＦ状態に戻る（ｊ）。
【００４０】
そして、また、光ＭＯＳリレー１１３のＬＥＤの発光が止むと（ｋ）、光ＭＯＳリレー１１３のＦＥＴはスイッチＯＦＦ状態からスイッチＯＮ状態に戻るが（ｌ）、この時、既にサイリスタ１１２がスイッチＯＦＦ状態になっているので、電子機器Ｄへの電力供給は行われない。
【００４１】
従って、前述した構成によると、電子機器に対する電源供給或いは休止を行う電力供給休止装置が、予備通電無しの無通電状態でも電源ＯＮ操作を受付けて通電状態となり電子機器に対して電力を供給するとともに、通電状態で電源ＯＦＦ操作を受付けて電子機器に対する電力を休止し且つ無通電状態に戻るので、待機用電力を完全にゼロにすることができる。
【００４２】
なお、前述の図１に示す実施例では、電力供給休止装置１１０を電子機器Ｄの外部に取り付ける形態を示したが、これに限定されず、電力供給休止装置１１０を電子機器Ｄの内部（特に、待機電源回路など）に取り付けるような形態にしても良い。
【実施例２】
【００４３】
次に、本発明に係る電力供給休止システムの実施例２について図４乃至図９を用いて説明する。なお、実施例２は、１つの光電変換素子で電源をＯＮ／ＯＦＦする回路構成を採っている。そして、実施例１と異なる点は、電源ＯＦＦ用光電変換素子の替わりに電源ＯＦＦ制御部を用いていることである。
【００４４】
図４は、本実施例２の電力供給休止システム２００のシステム構成を示すブロック図である。なお、この実施例２においても、前述の実施例１と同様に、駆動用電源ＰＳの電力が供給されることにより動作する電子機器Ｄに適用した場合について示している。また、この実施例２において、図４に示すサイリスタ２１２と、光ＭＯＳリレー２１３とは、前述した実施例１で説明したのと同様の機能を有し、サイリスタ２１２は、ノーマリーオンタイプを使用し、光ＭＯＳリレー２１３は、ノーマリーオンタイプを使用する。そして、各構成要素（サイリスタ２１２，光ＭＯＳリレー２１３，電源ＯＦＦ制御部２１６，電源ＯＮ／ＯＦＦ光電変換素子２１５）が電子機器Ｄおよび駆動用電源ＰＳと同図４に示すような接続形態で各々電気的に接続されて構成される。
【００４５】
そして、この実施例２の特徴部分である電源ＯＦＦ制御部２１６は、例えば、全てをアナログ回路で構成することも可能であるし、マイクロコンピュータを利用することも可能である。なお、一例として、一般的によく使用されるワンチップのマイクロコンピュータを利用した場合の電源ＯＦＦ制御部２１６の一構成例を図５に示す。図５に示す例では、Ａ／Ｄコンバータ内蔵のワンチップのマイクロコンピュータを用いている。
【００４６】
次に、前述した構成の電力供給休止システム２００の処理動作について図６乃至図９を用いて説明する。
【００４７】
まず、電源ＯＮ時の動作について図６を参照して説明する。
【００４８】
なお、この電力供給休止システム２００において、前述の実施例１に示した電力供給休止システム１００と同様に、電子機器Ｄへ電力が供給されていない場合（電源ＯＦＦ状態）には、ノーマリーオフタイプのサイリスタ２１２がスイッチＯＦＦ状態（すなわち、無通電状態）となっており、電力供給休止装置２１０にも電力が供給されず、この電力供給休止装置は無通電状態とされている。このように、電力供給休止装置２１０が無通電状態において、遠隔操作手段２２０の電源ＯＮ／ＯＦＦ用発光部２２４から発せられた電源ＯＮ用光信号が電源ＯＮ／ＯＦＦ用光電変換素子２１５に入ると（ｍ）、光電変換によって電源ＯＮ／ＯＦＦ用光電変換素子２１５に電圧が発生する。そして、この発生した電圧がサイリスタ２１２のゲート（Ｇ）−カソード（Ｋ）間に印加される（ｎ）。
【００４９】
そして、前述のゲート（Ｇ）−カソード（Ｋ）間電圧がサイリスタ２１２のＯＮ電圧に達すると、サイリスタ２１２がスイッチＯＮ状態（すなわち、通電状態）となり（ｏ）、更に、ノーマリーオンタイプの光ＭＯＳリレー１１３を使用していることにより、電子機器Ｄへの電力供給が開始される（ｐ）。
【００５０】
さらに、実施例２においては、電子機器Ｄへ電力供給が行われると、電源ＯＦＦ制御部２１６にも電力供給が行われる（ｑ）。
【００５１】
次に、電源ＯＦＦ時の動作について図７及び図８を参照して説明する。
【００５２】
ところで、前述した処理動作により電力供給休止装置２１０が通電状態となって電子機器Ｄに電力が供給され、電源ＯＦＦ制御部２１６に電力供給が行われると（ｑ）、図８に示したようにＲＯＭ等の記憶部に予め格納されている処理プログラムを読み出し（ステップＳ１０１）、それ以降のステップＳ１０２〜ステップＳ１０６の電源ＯＦＦ処理手順を実行する。
【００５３】
すると、電源ＯＦＦ制御部２１６では、ゲート（Ｇ）−カソード（Ｋ）間の監視電圧値（Ｖｇｋ）が予め記憶部に記憶している閾値電圧値（Ｖｏｎ）を越えた否かを監視する（ステップＳ１０２〜ステップＳ１０５）。
【００５４】
すなわち、電源ＯＦＦ制御部２１６がＯＮ状態になった場合には、サイリスタ２１２は既にスイッチＯＮ状態にあるので、ゲート（Ｇ）−カソード（Ｋ）間の電圧値は、サイリスタ２１２がＯＮするのに必要なＯＮ電圧値より少し下がった電圧値となっている。そして、その状態で、再度、電源ＯＮ／ＯＦＦ用光電変換素子２１５に光信号が入ると（ｒ）、その電源ＯＮ／ＯＦＦ用光電変換素子２１５からの出力電圧により、ゲート（Ｇ）−カソード（Ｋ）間の電圧値が引き上げられる（ｓ）。したがって、電源ＯＮ状態において、ゲート（Ｇ）−カソード（Ｋ）間の電圧値が引き上げられた場合を操作者により電源ＯＦＦ操作が行われたこととして検知する為、ゲート（Ｇ）−カソード（Ｋ）間の電圧値が引き上げられたかどうかを監視している。
【００５５】
この監視の結果、監視電圧値（Ｖｇｋ）が閾値電圧値（Ｖｏｎ）を越えたと判定した場合、すなわち、電源ＯＮ状態で電源ＯＮ／ＯＦＦ用光電変換素子２１５に再度光信号が入ったことを検知した場合（ステップＳ１０５ＹＥＳ）、電源ＯＦＦ制御部２１６は、電源ＯＦＦ操作が行われたとして電源ＯＦＦ出力を出す（ｔ）。すなわち、光ＭＯＳリレー２１３のＬＥＤを通電させる（ステップＳ１０６）。これにより、光ＭＯＳリレー２１３のＬＥＤが発光して（ｕ）、同じく光ＭＯＳリレー２１３のＦＥＴがスイッチＯＦＦ状態となり（ｖ）、電子機器Ｄへの電力が休止される（ｗ）。また、ＦＥＴがスイッチＯＦＦになると、サイリスタ２１２もスイッチＯＦＦ状態となって（ｘ）、電力供給休止装置２１０が無通電状態となる。また、ＬＥＤの発光が停止すると（ｙ）、光ＭＯＳリレー２１３のＦＥＴがスイッチＯＮ状態に戻る（ｚ）。
【００５６】
なお、サイリスタ２１２がＯＮするためのゲート（Ｇ）−カソード（Ｋ）間の閾値電圧値（Ｖｏｎ）は、使用するサイリスタにより異なるが、予め値は分かるので、採用するサイリスタの閾値電圧値をワンチップのマイクロコンピュータの記憶部（ＲＯＭ）に予め記憶しておき、必要に応じて、その値を参照できるようにしておく。
【００５７】
ところで、電源ＯＮ／ＯＦＦ用光電変換素子２１５に光を投光する時間は、サイリスタ２１２がＯＮするのに必要な電圧をその電源ＯＮ／ＯＦＦ用光電変換素子２１５が作り出す時間なので短い時間でよいのであるが、実際の使用に際して操作者の誤操作などにより短い時間内に連続的に光が投光された場合には、ワンチップのマイクロコンピュータが立ち上がった時点で、すでに、ゲート（Ｇ）−カソード（Ｋ）間の監視電圧値（Ｖｇｋ）がサイリスタ２１２がＯＮするための閾値電圧値（Ｖｏｎ）になっている場合が想定できる。
【００５８】
このため、そのようなケースを考慮して短い時間内に連続的に光が入った場合の電源ＯＦＦ動作の処理手順を図９に示しておく。
【００５９】
図９において、この処理では、前述の図８に示した処理手順と異なるのは、（ステップＳ１０２）の処理に相当する（ステップＳ２０２）の処理と、（ステップＳ１０３）の処理に相当する（ステップＳ２０４）の処理の間に、（ステップＳ２０３）の処理が追加され、更に、（ステップＳ１０４）の処理に相当する（ステップＳ２０５）の処理と、（ステップＳ１０６）の処理に相当する（ステップＳ２１０）の処理の間に、（ステップＳ１０５）の処理に代えて、（ステップＳ２０６）〜（ステップＳ２０９）の処理が追加されていることである。
【００６０】
すなわち、図９に示した処理手順では、前述の図８のフローで示した（ステップＳ１０２）の処理と同様にしてステップＳ２０２でゲート（Ｇ）−カソード（Ｋ）間の閾値電圧値Ｖｏｎを読み出した後、電源ＯＦＦ制御部２１６では、変数Ｐを「０」と設定するとともに、ステップＳ２０４→ステップＳ２０５と処理してステップＳ２０６の判定処理の結果、サイリスタ２１２の現在のゲート（Ｇ）−カソード（Ｋ）間の監視電圧値（Ｖｇｋ）が閾値電圧値（Ｖｏｎ）を越えていないと判定した場合に、変数Ｐが「０」であれば（ステップＳ２０７ＹＥＳ）、変数Ｐを「１」に設定し、他方、ステップＳ２０６の判定処理の結果、サイリスタ２１２の現在のゲート（Ｇ）−カソード（Ｋ）間の監視電圧値（Ｖｇｋ）が閾値電圧値（Ｖｏｎ）を越えていると判定した場合に、変数Ｐが「１」に設定されているか否かを判定し、Ｐ＝１となっている場合に（ステップＳ２０９ＹＥＳ）、ステップＳ２１０の処理に移行して、電源ＯＦＦ制御部２１６は、電源ＯＦＦ出力を出す。すなわち、光ＭＯＳリレー２１３の発光ダイオード（ＬＥＤ）を通電させるようにしている。
【００６１】
ここで、例えば、前述の図９に示したフローを用いて、操作者が電源ＯＮ操作を行う際、誤って短時間に連続的に光信号を投光させた場合の電源ＯＦＦ制御部２１６における処理の流れについて説明する。
【００６２】
操作者が短時間に連続的に光信号を投光させた場合、初回光信号投光時の電源ＯＦＦ制御部２１６の処理としては、ステップＳ２０１→ステップＳ２０２→ステップＳ２０３→ステップＳ２０４→ステップＳ２０５→ステップＳ２０６ＹＥＳ→ステップＳ２０９ＮＯと処理し、ステップＳ２０４に遷移する。
【００６３】
そして、その後、短時間に再度光信号が投光されたとしても、二週目のステップＳ２０６の判定では、ゲート（Ｇ）−カソード（Ｋ）間の監視電圧値が下がっていることによりＮＯと判定され、ステップＳ２０７ＹＥＳ→ステップＳ２０８と処理してステップＳ２０４に戻る。
【００６４】
そして、さらに、三週目、すなわち、所定時間経過して正式に電源ＯＦＦ用の光信号が投光された場合には、ステップＳ２０６の判定では、ゲート（Ｇ）−カソード（Ｋ）間の監視電圧値が引き上げられるので、ＹＥＳと判定され、更に、ステップＳ２０９の判定でＹＥＳとなるので、ステップＳ２１０に移行して電源ＯＦＦ出力処理を行う。
【００６５】
このような処理手順を用意することにより、短い時間内に連続的に光が投光されたとしても、その短い時間内での初回以降に投光された光は、操作者による誤操作とみなし、電源ＯＦＦ状態への遷移処理は行わない。これにより、操作者の操作利便性を向上させることができる。
【００６６】
なお、前述の実施例では、遠隔操作手段１２０は、電子機器Ｄに対する駆動用電源ＰＳの電力の供給或いは休止を操作する機能のみを説明したが、これに限らず、それら電力供給／休止以外の電子機器Ｄにおける各種機能を操作可能な機能を備えたものに適用しても良い。
【００６７】
また、前述の実施例１において、遠隔操作手段は、電源ＯＮ用と電源ＯＦＦ用の異なる光信号を発するため２つの発光部を備える構成を示したが、これに限らず、例えば、電源ＯＮと電源ＯＦＦで共用の１つの発光部を備え、受光側となる電力供給休止装置において、電源ＯＮ用光電変換素子と電源ＯＦＦ用光電変換素子とを互いに離れた位置や、互いに異なる方向を向くように設置して対応する形態を採っても良い。
【００６８】
さらに、前述の実施例２に示した電源ＯＦＦ制御部は、上述した図８及び図９に示したような処理を行えれば、他の構成であっても良い。
【００６９】
最後に、前述した構成によると、電力供給休止システムの電力供給休止装置が、無通電状態で遠隔操作手段から発せられた電源オン用光信号を受信すると通電状態となって電子機器に対して駆動用電源からの電力を供給するとともに、通電状態で遠隔操作手段から発せられた電源オフ用光信号を受信すると電子機器に対して駆動用電源からの電力を休止し且つ無通電状態に戻るようにしているため、手動で電源を入り切りするのが困難な場所に電子機器を配置した場合でも、遠隔より電子機器に対する電源供給のオン／オフ操作を容易に行え、かつ、待機時には無通電状態となるので待機用電力を完全にゼロにすることができ、電子機器の待機状態での省電力化を確実に図れる。また、待機用電力を完全にゼロにすることができるので、システム適用の自由度が高くなるとともに、商用電源とは異なり消耗品の電池やバッテリ等の電源を採用する電子機器においては、電池或いはバッテリの寿命を延ばすことができる。また、簡単で安価な回路構成で実現することができる。
【００７０】
また、時刻、日付等を表示する機能を有する電子機器に適用する場合には、待機時には、それら時刻、日付情報を記憶更新処理する部分のみ電力を供給する回路構成を採り、その他の部分には前述したような本実施例の構成を採用して電力が供給されない回路構成とすることにより、少なくともリモコンからの電源ＯＮ／ＯＦＦ操作やその他の操作を受付けるリモコン処理部などの待機用電力を完全にゼロにすることができる。さらに、リモコン操作では、電源ＯＮ／ＯＦＦ操作しか受付けないシンプルな装置に適用する場合には、特に、予備通電無しの無通電状態でも電源ＯＮ操作を受付けて通電状態となり電子機器に対して電力を供給するとともに、通電状態で電源ＯＦＦ操作を受付けて電子機器に対する電力を休止し且つ無通電状態に戻る回路を簡単で少ない構成で実現でき、それにより、安価に装置を提供することができる。
【図面の簡単な説明】
【００７１】
【図１】本発明の電力供給休止システムの実施例１の構成例を示す図。
【図２】実施例１の電源ＯＮ時の回路閉状態を示す図。
【図３】実施例１の電源ＯＦＦ時の回路開状態を示す図。
【図４】本発明の電力供給休止システムの実施例２の構成例を示す図。
【図５】電源ＯＦＦ制御部の一構成例を示す図。
【図６】実施例２の電源ＯＮ時の回路閉状態を示す図。
【図７】実施例２の電源ＯＦＦ時の回路開状態を示す図。
【図８】電源ＯＦＦ制御部の電源ＯＦＦ処理手順を示すフローチャート。
【図９】図８に示す電源ＯＦＦ処理手順の変形例を示すフローチャート。
【符号の説明】
【００７２】
１００，２００  ・・・  電力供給休止システム
１１０，２１０  ・・・  電力供給休止装置
１１１          ・・・  電源ＯＮ用光電変換素子
１１２，２１２  ・・・  サイリスタ（自己保持型半導体スイッチング素子）
１１３，２１３  ・・・  光ＭＯＳリレー（非自己保持型半導体スイッチング素子）
１１４          ・・・  電源ＯＦＦ用光電変換素子
１２０，２２０  ・・・  遠隔操作手段
１２１          ・・・  電源ＯＮ用発光部
１２２          ・・・  電源ＯＦＦ用発光部
１２３，２２５  ・・・  切り換えスイッチ
２１５          ・・・  電源ＯＮ／ＯＦＦ共用光電変換素子
２１６          ・・・  電源ＯＦＦ制御部
２２４          ・・・  電源ＯＮ／ＯＦＦ共用発光部
Ｄ              ・・・  電子機器
ＰＳ            ・・・  駆動用電源
【図１】
2006149161.tif 000003
【図２】
2006149161.tif 000004
【図３】
2006149161.tif 000005
【図４】
2006149161.tif 000006
【図５】
2006149161.tif 000007
【図６】
2006149161.tif 000008
【図７】
2006149161.tif 000009
【図８】
2006149161.tif 000010
【図９】
2006149161.tif 000011